(57)【要約】      （修正有）【課題】袋本体の接着部を外観上目立たなくした手提げ紐付き紙袋を提供する。【解決手段】原紙３の略中央と両側にマチ折目１０ｂ、１０ｃ、１１、１２を設けて幅広面部１４，１４と側面部１５、１５、１６、１７を夫々形成し、前記側面部１７の外側に谷折目線１３を介して接着面を有して設けた糊代部１８を他端側の側面部１６の裏側に接着させて袋本体２を形成する。この袋本体の下部に第１、２底折目２０、２１を中心に底面開口部３ｂを開いて形成したマチ台形部２５と、広幅台形部２６を折り重ねて接着して底面部２７を形成し、前記原紙の上部に折返線５を介して設けた補強部を折返し、内面に接着させた口ボール８、８の間に提げ紐を取り付けてある。【選択図】図１
0003128559.tif 000002
【実用新案登録請求の範囲】
【請求項１】
原紙（３）の略中央部と左右両端とにそれぞれマチ折目（１０ｂ、１０ｃ、１１、１２）を上下方向に平行に設けて幅広面部（１４、１４）と、側面部（１５、１５、１６、１７）とをそれぞれ形成し、
前記側面部（１７）の先端に設けた谷折目線(１３)を介して表面に接着面を有した糊代部（１８）を設け、他端側の側面部（１６）の裏側に前記糊代部（１８）を接着して筒状の袋本体（２）を形成し、
前記袋本体（２）の下端部と平行に設けた第１、２底折目（２０、２１）を中心に該下端部を開いて形成したマチ台形部（２５）と広幅台形部（２６）とをそれぞれ折り重ねて接着して底面部（２７）を設け、
前記原紙（３）の上端部と平行に設けた折返線（５）を介して一定幅に形成した前記補強部（６）及び前記幅広面部（１４、１４）の裏側に、前記折返線（５）を中心とした対向位置にそれぞれ口ボール（８、８）を接着した該補強部（６）を内側に折り返し、
前記幅広面部（１４、１４）又は補強部（６）の上部に設けた複数の紐孔（２８、２８）にそれぞれ提げ紐（２９）の端部を挿入して前記口ボール（８、８）の間に挟んで接着することを特徴とする手提紐付き紙袋。
【請求項２】
前記袋本体（２）は、一方の幅広面部（１４）の一側にマチ折目（１１）を介して連続する側面部〈１７〉の先端に設けた谷折目線（１３）に連続して表面に接着面を具えて形成した細巾の糊代部（１８）を、他方の幅広面部（１４）の一側にマチ折目（１２）を介して設けた側面部（１６）の先端裏側に接着し、該側面部（１６）の先端稜線１６ａを前記側面部の先端に設けた谷折目線（１３）の表面に合致させて前記側面部（１７）と該側面部（１６）とでマチ部を設けてなることを特徴とする請求項１記載の手提紐付き紙袋。
【請求項３】
前記紐孔（２８）が、内面に口ボール（８、８）を接着させた幅広面部（１４、１４）の上部と補強部（６）との間に形成した折返線（５）上に設け、前記提げ紐（２９）を該折返線（５）上である紙袋の開口部上端から引き出してなることを特徴とする請求項１記載の手提紐付き紙袋。
【請求項４】
前記紐孔（２８ｂ）が、内面に口ボール（８、８）を接着させた補強部（６）に設けてあり、前記提げ紐（２９）を紙袋の開口部の内側上部から引き出してなることなることを特徴とする請求項１記載の手提紐付き紙袋。
【請求項５】
前記紐孔（２８ｃ）が、内面に口ボール（８、８）を接着させた幅広面部（１４、１４）の外側上部に設けてなり、前記提げ紐（２９）を紙袋の開口部の外側上部から引き出してなることを特徴とする請求項１記載の手提紐付き紙袋。
【考案の詳細な説明】
【技術分野】
【０００１】
本考案は、袋状に形成した袋本体の接着部分を目立たなくした手提げ紐付紙袋に関するものである。
【背景技術】
【０００２】
従来、手提げ紐付き紙袋は、紙袋の用途により紙質、大きさ、形状または提げ紐の種類または印刷の有無など多種多様なパターンを組合わせて形成されている。その製法の多くは、クラフト紙などからなる自然紙またはコート紙、キャストコート紙などの合成紙を任意形状に裁断した原紙を使用目的に合わせて手作業または製袋機により紙袋を形成している（特許文献1、参照）。
【０００３】
紙袋を形成する場合、手作業によって行われる場合もあるが、コスト、大量生産が可能であることなどから、多くは製袋機によって機械生産されている。前記製袋機による製造工程は、原紙を一枚づつ装置に供給する供給部と、該供給部から送られた原紙に折目付けをしてガゼット折りをしながら筒状に形成する胴貼工程と、該胴貼り工程により形成された袋本体の底側を折り畳んで底面部を形成する工程とにより製造されている。提げ紐の取付けは、主に原紙状態のときに上方に設けた開口部に該当する部分に補強用の口ボールと一緒に取付ける場合が多い（特許文献２、参照）。
【０００４】
紙袋を製造するには、基本的には紙袋の側面部、即ち、マチ部を先に折り込む製法が、製袋機の基本理念である。図１７に示すように、普通の紙袋５０の製法の場合、幅広面部５１、５１の両側に、夫々中央に谷折目５３、５３を有した側面部５２、５２を形成し、一方の側面部５２ａの端部に山折目５４を介して細巾の糊代部５５を設け、該糊代部の表面（外面）に糊を塗布して接着面５５ａを形成している。さらに、他側の幅広面部５１の端部内面に細巾の貼代部５１ａを設け、前記糊代部５５の接着面５５ａを接着して袋状の紙袋５０を形成する。この場合、幅広面部の端部外面に糊代部の基部と幅広面部の端部とが合致し、紙袋の角の稜線部分に位置し、接着部が目立つてしまうという欠点があった。
【０００５】
また、図１８に示すように、紙袋５０ａに設けた幅広面部５１に連なる一方の側面部５２ｂの中央に設けた谷折目５３ａを介して細巾の糊代部５７を設け、該糊代部の内面に糊を塗布して接着面５７ａを形成する。さらに、他方の幅広面部５１の端部に山折目５１ｂを介して前記側面部５２ｂの半分の長さをした側面部５２ｃを設けてある。また、前記側面部５２ｂの谷折目５３ａの前方に設けた細巾の糊代部５７の内面（裏面）に設けた接着面５７ａを、該側面部５２ｃの先端部の表面に接着させる。この場合、側面部５２ｃの外面に接着した糊代部５７の端部が該側面部５２ｃの中央表面に位置し、やはり接着部が目立つという欠点があった。
【０００６】
さらに、糊を反対側の裏面に塗布した場合を説明すると、図１９は、紙袋６０を展開した内面を示すもので、夫々幅広面部６１、６１の間に中央谷折目６３を有して両側に山折目６４、６４を設けた側面部６２と、また、幅広面部６１、６１の各両側端には、山折目６４ａ、６４ａを介して前記側面部６２の半分の長さをした半側面部６５、６６とを設けてある。一方の半側面部６５の先端に谷折目６７を介して細巾の貼代部６８を形成し、他方の半側面部６６の先端内面には糊を細巾に塗布して接着面６６ａを形成し、該接着面６６ａを前記貼代部６８に接着して袋状の紙袋に形成してある。
【０００７】
この半側面部６６の先端内面に細巾の接着面６６aを形成すると同時に、各マチ部分の折目をそれぞれ谷折りまたは山折りにする。例えば、半側面部６６の先端内面に糊を塗布した後、この紙袋６０を折ると、図２０に示すように、半側面部６６の先端内面に塗布した接着面６６ａが幅広面部６１の内面に接着してしまうことが多い。そのため、他方の側面部６１の先端に山折目６１ａを介して設けた半側面部６７の先端に谷折目６８を介して設けた細巾の貼代部６９に、半側面部６６に設けた接着面６６ａが接着できず、この紙袋６０が袋状にならない場合があるという欠点があった。
【０００８】
また、紙袋を外面向きにして同じ製法をする場合、糊の付いた半マチが谷折りに折れて紙袋の中に差し込むことが出来ない。そのため、紙袋６０が筒状にならないか、または糊代部が谷折りの箇所の上に位置し、且つ外側から接着箇所が見えてしまうため製品として不可であった。
【０００９】
したがって、上記した紙袋の貼り合わせ方法では、紙袋の貼り合わせ部分が明らかに判ることから、比較的廉価な商品を包装する汎用性のある紙袋しか製造できないという制限が生じ、高級品包装用の厚紙を使用した手提げ紙袋を形成する場合、熟練した技術者の高度な手作業により手提げ紙袋を生産する場合に大量生産ができないなどの問題点を有していた。
【特許文献１】特開２０００−２１９４８４号公報
【特許文献２】実開昭５０−７７２０８号公報
【考案の開示】
【考案が解決しようとする課題】
【００１０】
そこで、本考案は、手提紙袋を形成する場合に、外部から接合部分が目立たない紙袋を提供することを課題とするものである。
【課題を解決するための手段】
【００１１】
上記課題を解決する為に、請求項１の考案は、原紙３の略中央部と左右両端とにそれぞれマチ折目１０ｂ、１０ｃ、１１、１２を上下方向に前記内折目５に対して直角方向に平行に設けて幅広面部１４、１４と、側面部１５、１５、１６、１７とをそれぞれ形成し、前記側面部１７の先端に設けた谷折目線１３を介して表面に接着面を有した糊代部１８を設け、他端側の側面部１６の裏側に前記糊代部１８を接着して筒状の袋本体２を形成し、前記袋本体２の下端部と平行に設けた第１、２底折目２０、２１を中心に該下端部を開いて形成したマチ台形部２５と広幅台形部２６とをそれぞれ折り重ねて接着して底面部２７を設け、前記原紙３の上端部と平行に設けた折曲線５を介して一定幅に形成した前記補強部６及び前記幅広面部１４、１４の裏側に、前記折曲線５を中心とした対向位置にそれぞれ口ボール８、８を接着した該補強部６を内側に折り返し、前記幅広面部１４、１４又は補強部６の上部に設けた複数の紐孔２８、２８にそれぞれ提げ紐２９、２９の端部を挿入して前記口ボール８、８の間に挟んで接着することを特徴とする。
【００１２】
また前記袋本体２は、一方の幅広面部１４の一側にマチ折目１１を介して設けた側面部１７の先端に設けた谷折目線１３に連続して表面に接着面を具えて形成した細巾の糊代部１８を、他方の幅広面部１４の一側にマチ折目１２を介して設けた他方の側面部１６の先端裏側に接着し、該側面部１６の先端稜線１６ａを前記側面部の先端に設けた谷折目線１３に合致させて前記側面部１７と該側面部１６とで一方のマチ部を設けてある。さらに、この紐孔２９は、袋本体の開口部の上端でも良いし、開口部外側又は開口部内側に設けてもよい。
【００１３】
したがって、原紙３の一端に設けた糊代部１８を他端側の側面部１６の裏側に谷折りして接着したことにより、糊代部１８の谷折目線１３が側面部１６の端部と重なり、外部から継目が目立たなくなる。また、袋本体の開口部に取り付ける提げ紐は、袋本体を形成した後に、上端部３ａの補強部６及び幅広面部１４、１４の間に折返線５を刻設して折畳み加工を容易にし、紐挿通用の紐孔２８を調節して設けることにより紙製の開口部の上端、開口部の内側上部あるいは開口部の外側上部に取り付けることができる。
【考案の効果】
【００１４】
本考案は、紙袋のマチ部中央に位置する谷折目線１３に側面部１６の先端を合致させ、該側面部の先端稜線１６ａをマチ部の谷折目線１３に合致させて接着してあるので、この袋本体の側面部分に位置した厚紙３の接着部分が目立たなくなり、高級感を有した紙袋を得ることができる。さらに、紙袋の開口部に取り付ける提げ紐２９は、必要に応じて該紙袋の開口部の上端や、開口部の外側やや上部や、開口部の内側やや上部に取り付けた手提紐付き紙袋を得ることができるため使用しやすい利点を有するものである。
【考案を実施するための最良の形態】
【００１５】
本考案の実施形態を添付図面に基づき説明すると、図１は本考案に係る手提紐付き紙袋の斜視図、図２は同紙袋を構成する紙本体の展開図、図３は厚紙の斜視図、図４は補強部に口ボールを接着した状態の斜視図、図５は複数のマチ折目と谷折目線を設けた斜視図である。この手提紐付き紙袋（以下紙袋という）１は、図２に示すごとく、表面に任意模様を印刷した自然紙または合成紙などを任意形状に形成した原紙３の上端部（上開口辺）３ａに長手方向に細長い補強部６を形成してある。この原紙３は自然紙または合成紙などを任意形状に裁断して形成する。
【００１６】
図２において、前記原紙３の上端部３ａのやや下方の一定幅の位置に折返線５を左右方向に設けて形成した補強部６の下部に設けた折返線５を中心にして内方に折り返す補強部６の裏側と、後記する幅広面部１４、１４の上部裏側とにそれぞれ対向する位置に口ボール８、８を接着する。この取付けは、原紙３を袋状に形成する前に行うのが好ましく、原紙３を展開した状態で補強用の口ボール８、８を接着すれば接着作業が容易となる。
【００１７】
原紙３により形成する袋本体２の中央にそれぞれ幅広面部１４、１４を設け、その間及び両側に同幅にした複数の側面部１５、１５、１６、１７を設けてある。側面部１５，１５は中央マチ折目１０ａを介して連続しており、さらに、一方の側面部１７の先端に形成した谷折目線１３を介して該側面部の半分位の細巾を有した糊代部１８を形成してある。この糊代部１８を、他側に位置する側面部１６の端部内面に接着して袋状の袋本体２を形成する。ついで、前記マチ部の中央に設けた中央マチ折目１０ａを谷折りし、両側のマチ折目１０ｂ、１０ｃと、前記側面部１７のマチ折目１１、１２をそれぞれ山折りし、さらに、前記谷折目線１３を谷折りし、糊代部１８の表面に設けた接着面１８ａに、他側端に位置する前記側面部１６の裏面を接着して筒状の袋本体２を形成する。
【００１８】
袋本体２の下部に設けた下端部（下開口辺）３ｂを、水平方向、即ち上端部３ａと平行に一定間隔で第１、２底折目２０、２１を設け〈図１０〉、さらに、方形をした底面部２７を形成した袋本体２の上部はマチ部の中間上方を谷折に折り畳み、袋本体の上部両側から圧着する。ついで、袋本体の上部に細巾の補強部を設けて内折目を形成し、該袋本体の上端部に提げ紐用の紐孔２８を形成して該補強部６を内側に折り曲げ、この紐孔２８に挿通した提げ紐２９を口ボール８、８の間に位置させてホットメルトなどの接着剤を用いて押圧、接着して袋本体２を形成する。
【００１９】
袋状に形成した前記袋本体２の両側のマチ部を谷折りした状態にして圧着させた後、第１底折目２０を中心にして該袋本体の下部に位置する下端部３ｂを開いて左右にマチ台形部２５、２５、上下に幅広台形部２６、２６をそれぞれ形成し、該マチ台形部と幅広台形部を折り重ねて接着して方形状の底面部２７を形成する。この底面部２７の内側に、必要に応じて底ボールを入れて型崩れや底抜けを防止する。次いで、上端部３ａの上端または該開口部の内外いずれかの面に設けた複数の紐孔２８にそれぞれ提げ紐２９の端部を挿入し、前記口ボール８、８の間に提げ紐２９を挿入して接着剤で接着すると共に圧着させて手提紐付き紙袋１を形成する。
【００２０】
紐挿通用の紐孔２８の開ける位置は調整することができ、補強部６を折り曲げた折返線５上、即ちこの紙袋の上端に設けた開口部の上端部分や、開口部の内側に折り曲げた補強部６の中間部分や、即ち開口部の内側上部や、開口部の外側上部に位置する幅広面部１４、１４の上方部分に設けて提げ紐２９を袋本体の外側に取り付けてある。
【００２１】
手提紐付き紙袋１は、原紙３の一端に設けた貼代部である側面部１６の裏側に反対側の糊代部１８を、谷折目線１３を谷折りして貼り合わせたことにより、継目、即ち、側面部１６の端部、即ち先端稜線１６ａと谷折目線１３とが重なり外部から継目が目立たなくなる状態に形成する。したがって、高級なコート紙などの厚紙を使用しても継目の目立たないできれいな高級感あふれる手提紐付き紙袋１を設けることができる。
【００２２】
口ボール８、８の接着作業と、各折目１０ａ、１０ｃ、１１、１２、１３を形成する作業を、原紙３を平面状に開いたまま行うので、それぞれの作業に制約がなく容易に効率良く確実に行なうことができ、さらに各折目１０ｂ、１０ｃ、１１、１２、１３の折目付け作業は、例えば、スジ付けローラを幅広面部の横巾の距離を移動して刻設して行なう。
【００２３】
筒状に形成した袋本体２の側面（マチ部分）を形成する側面部１５の中央マチ折目１０ａと、反対側の側面部１６、１７の中央部分に位置した谷折目線１３とをそれぞれ外側から内側方向に押して谷折りする両側面をいわゆるガゼット折りに形成し、次いで、袋本体２の表裏両面をプレスして全体を偏平にする。この場合、図８に示すように、展開した状態の補強部６を折り返して口ボール８、８を重ねても作業をしても良いが、袋本体２を形成した後に補強部を内側に折り返した方が、作業が容易で好ましい。
【００２４】
この接着折り曲げ加工において、細巾の糊代部１８を側面部１６の裏側に接着することにより、谷折りした谷折目線１３が袋状に形成した袋本体２の一方の側面部１６の先端稜線１６ａに合致し、谷折りされるマチ部の中央に位置することから、外観上からは原紙３の貼り合せ部分を目立たなくして高級仕上げにできる（図９）。
【００２５】
図１０、１１、１２、１３に示すように、前記袋本体２の下端部３ｂに底面部２７を形成するには、下端部３ｂの第１、２底折目２０、２１を前記折目５と平行に形成する（図１０）。次いで、前記第１底折目２０を中心に折り曲げて袋本体２の下開口部３ｂの両マチ側を開く（図１１）。さらに下開口部３ｂの両端を内側に折畳んでマチ台形部２５、２５と幅広台形部２６、２６とを折り畳んで形成する（図１２）。また、対向するマチ台形部２５を互い違いに内側に折り畳んだ後、同じく対向する幅広台形部２６をそれぞれ互い違いに内側に折り畳んで接着し、底面部２７を形成する（図１３）。
【００２６】
前記底面部２７を有した袋本体２の上端部３ａに提げ紐２９を取付けるには、提げ紐２９は、特に高級感を持たせることから軟らかい布紐が好ましい。提げ紐２９の取付けは、原紙３の内面に接着させた口ボール８、８の間に、所定長さに切断した提げ紐２９を、袋本体２の上端部３ａに設けた紐孔２８の外側から内側に引き込んで挿入し、この提げ紐２９の端部と口ボール８、８の内面に接着剤を塗布し、口ボール８、８を含め補強部６の幅方向をプレスして提げ紐２９の端部を口ボール８の間に接着させる。
【００２７】
したがって、本願の手提げ紐付き紙袋１は、表面にラミネート加工が施されて光沢があって滑りやすい幅厚の高級原紙を使用して形成した場合でも、原紙を袋状に形成する接着部分をマチ部分である側面部１６の先端稜線１６ａを谷折目線１３に合致させて設けたことにより、外部から接着部分が谷折目と重なって目立たなくなり、見映えが良くて高級感のある紙袋を形成することができる。
【図面の簡単な説明】
【００２８】
【図１】本考案に係る手提げ紐付き紙袋の斜視図である。
【図２】同紙袋を構成する紙本体の展開図である。
【図３】原紙の斜視図である。
【図４】補強部に口ボールを接着させた原紙の斜視図である。
【図５】複数のマチ折目と折返線を設けた原紙の斜視図である。
【図６】原紙に接着させた上方の口ボールに合致して紐孔を設けた状態を示す一部省略した袋本体の展開図である。
【図７】原紙に接着させた下方の口ボールに合致して紐孔を設けた状態を示す一部省略した袋本体の展開図である。
【図８】補強部を折曲線から折り返した場合の原紙の斜視図である。
【図９】側面部に糊代部を接着させたマチ部の要部拡大断面図である。
【図１０】袋本体に底折目を設けた状態の斜視図である。
【図１１】袋本体の下端部を開いた状態の斜視図である。
【図１２】底面の開口部を折り曲げてマチ台形部と幅広台形部を形成した状態の斜視図である。
【図１３】袋本体に底面部を形成した状態の斜視図である。
【図１４】紙袋の上部に設けた開口部の上端に設けた紐孔に提げ紐を取り付けた状態の一部省略した説明図である。
【図１５】紙袋の上部に設けた開口部の内側上部に設けた紐孔に提げ紐を取り付けた状態の一部省略した説明図である。
【図１６】紙袋の上部に設けた開口部の外側上部に設けた紐孔に提げ紐を取り付けた状態の一部省略した説明図である。
【図１７】従来の袋本体を接着させる状態の説明図である。
【図１８】従来の他の袋本体を接着させた状態の説明図である。
【図１９】原紙を展開させた状態の内面を示す平面図である。
【図２０】図１６に示した袋本体を接着させる場合の不良状態を示す説明図である。
【符号の説明】
【００２９】
１      手提げ紐付き紙袋
２      袋本体
３      原紙
５      折返線
６      補強部
８      口ボール
１０      マチ折目
１０ａ    中央マチ折目
１０ｂ    マチ折目
１０ｃ    マチ折目
１１      マチ折目
１２      マチ折目
１３      谷折目線
１４      幅広面部
１５      側面部
１６      側面部
１６ａ    先端稜線
１７      側面部
１８      糊代部
２０      第１底折目
２１      第２底折目
２５      マチ台形部
２６      幅広台形部
２７      底面部
２８      紐孔
２９      提げ紐
【図１】
0003128559.tif 000003
【図２】
0003128559.tif 000004
【図３】
0003128559.tif 000005
【図４】
0003128559.tif 000006
【図５】
0003128559.tif 000007
【図６】
0003128559.tif 000008
【図７】
0003128559.tif 000009
【図８】
0003128559.tif 000010
【図９】
0003128559.tif 000011
【図１０】
0003128559.tif 000012
【図１１】
0003128559.tif 000013
【図１２】
0003128559.tif 000014
【図１３】
0003128559.tif 000015
【図１４】
0003128559.tif 000016
【図１５】
0003128559.tif 000017
【図１６】
0003128559.tif 000018
【図１７】
0003128559.tif 000019
【図１８】
0003128559.tif 000020
【図１９】
0003128559.tif 000021
【図２０】
0003128559.tif 000022
【手続補正書】
【提出日】平成18年11月8日(2006.11.8)
【手続補正１】
【補正対象書類名】実用新案登録請求の範囲
【補正対象項目名】全文
【補正方法】変更
【補正の内容】
【実用新案登録請求の範囲】
【請求項１】
原紙（３）の略中央部と左右両端とにそれぞれマチ折目（１０ｂ、１０ｃ、１１、１２）を上下方向に平行に設けて幅広面部（１４、１４）と、側面部（１５、１５、１６、１７）とをそれぞれ形成し、
前記側面部（１７）の先端に設けた谷折目線(１３)を介して表面に接着面を有した糊代部（１８）を設け、他端側の側面部（１６）の裏側に前記糊代部（１８）を接着して筒状の袋本体（２）を形成し、
前記袋本体（２）の下端部と平行に設けた第１、２底折目（２０、２１）を中心に該下端部を開いて形成したマチ台形部（２５）と広幅台形部（２６）とをそれぞれ折り重ねて接着して底面部（２７）を設け、
前記原紙（３）の上端部と平行に設けた折返線（５）を介して一定幅に形成した前記補強部（６）及び前記幅広面部（１４、１４）の裏側に、前記折返線（５）を中心とした対向位置にそれぞれ口ボール（８、８）を接着した該補強部（６）を内側に折り返し、
前記幅広面部（１４、１４）又は補強部（６）の上部に設けた複数の紐孔（２８、２８）にそれぞれ提げ紐（２９）の端部を挿入して前記口ボール（８、８）の間に挟んで接着することを特徴とする手提紐付き紙袋。
【請求項２】
前記袋本体（２）は、一方の幅広面部（１４）の一側にマチ折目（１１）を介して連続する側面部〈１７〉の先端に設けた谷折目線（１３）に連続して表面に接着面を具えて形成した細巾の糊代部（１８）を、他方の幅広面部（１４）の一側にマチ折目（１２）を介して設けた側面部（１６）の先端裏側に接着し、該側面部（１６）の先端稜線１６ａを前記側面部の先端に設けた谷折目線（１３）の表面に合致させて前記側面部（１７）と該側面部（１６）とでマチ部を設けてなることを特徴とする請求項１記載の手提紐付き紙袋。
【請求項３】
前記紐孔（２８）が、内面に口ボール（８、８）を接着させた幅広面部（１４、１４）の上部と補強部（６）との間に形成した折返線（５）上に設け、前記提げ紐（２９）を該折返線（５）上である紙袋の開口部上端から引き出してなることを特徴とする請求項１記載の手提紐付き紙袋。
【請求項４】
前記紐孔（２８）が、内面に口ボール（８、８）を接着させた補強部（６）に設けてあり、前記提げ紐（２９）を紙袋の開口部の内側上部から引き出してなることなることを特徴とする請求項１記載の手提紐付き紙袋。
【請求項５】
前記紐孔（２８）が、内面に口ボール（８、８）を接着させた幅広面部（１４、１４）の外側上部に設けてなり、前記提げ紐（２９）を紙袋の開口部の外側上部から引き出してなることを特徴とする請求項１記載の手提紐付き紙袋。